(57)【要約】【課題】一般ユーザ（例えば撮影装置の所有者）の撮影装置の盗難の抑止につながる機能を有する情報送信システムを提供すること。【解決手段】近距離無線通信規格を用いて相互通信することが可能な撮影装置と情報処理端末とを備える情報送信システムにおいて、撮影装置は、撮影装置側記憶媒体と、認証情報を撮影装置側記憶媒体に記憶させる撮影装置側記憶手段とを備え、情報処理端末は、端末側記憶媒体と、認証情報及び所定の連絡先を端末側記憶媒体に記憶させる端末側記憶手段と、撮影装置側記憶媒体に記憶された認証情報と端末側記憶媒体に記憶された認証情報とを照合する照合手段と、照合手段による照合結果が認証情報の不一致を示すものである場合、撮影装置に関する所定の情報、情報処理端末に関する所定の情報、撮影装置による撮影画像データ、のうちの少なくとも１つ、を収集して連絡先に送信する情報処理手段とを備える。【選択図】図４
2020086888.tif 000002
【特許請求の範囲】
【請求項１】
近距離無線通信規格を用いて相互通信することが可能な撮影装置と情報処理端末とを備える情報送信システムにおいて、
前記撮影装置は、
撮影装置側記憶媒体と、
認証情報を前記撮影装置側記憶媒体に記憶させる撮影装置側記憶手段と、
を備え、
前記情報処理端末は、
端末側記憶媒体と、
認証情報及び所定の連絡先を前記端末側記憶媒体に記憶させる端末側記憶手段と、
前記撮影装置側記憶媒体に記憶された認証情報と前記端末側記憶媒体に記憶された認証情報とを照合する照合手段と、
前記照合手段による照合結果が前記認証情報の不一致を示すものである場合、前記撮影装置に関する所定の情報、前記情報処理端末に関する所定の情報、前記撮影装置による撮影画像データ、のうちの少なくとも１つ、を収集して前記連絡先に送信する情報処理手段と、
を備える、
情報送信システム。
【請求項２】
前記連絡先が前記撮影装置側記憶媒体に記憶されており、
前記照合手段による照合結果が前記認証情報の不一致を示すものである場合、前記送信手段と前記撮影装置の少なくとも一方が、前記撮影装置に関する所定の情報、前記情報処理端末に関する所定の情報、前記撮影装置による撮影画像データ、のうちの少なくとも１つ、を収集して前記連絡先に送信する、
請求項１に記載の情報送信システム。
【請求項３】
前記情報処理端末を、前記端末側記憶手段、前記照合手段及び前記情報処理手段として機能させるためのアプリケーションが前記情報処理端末とは別の情報処理端末にインストールされた後、所定のタイミングで、前記撮影装置側記憶媒体に記憶された前記連絡先が前記端末側記憶媒体に記憶される、
請求項２に記載の情報送信システム。
【請求項４】
前記撮影装置は、
前記撮影装置の位置情報を取得する撮影装置側位置取得手段
を更に備え、
前記情報処理手段は、
前記撮影装置に関する所定の情報として、前記撮影装置側位置取得手段によって取得された前記撮影装置の位置情報と前記位置情報のログの少なくとも一方を収集する、
請求項１から請求項３の何れか一項に記載の情報送信システム。
【請求項５】
前記情報処理端末は、
前記情報処理端末の位置情報を取得する端末側位置取得手段
を更に備え、
前記情報処理手段は、
前記情報処理端末に関する所定の情報として、前記端末側位置取得手段によって取得された前記情報処理端末の位置情報、前記情報処理端末の位置情報のログ、前記情報処理端末の所有者の情報、前記情報処理端末を特定する情報、のうちの少なくとも１つを収集する、
請求項１から請求項４の何れか一項に記載の情報送信システム。
【請求項６】
前記撮影装置側記憶媒体に記憶された認証情報は、パスワードで保護されている、
請求項１から請求項５の何れか一項に記載の情報送信システム。
【請求項７】
近距離無線通信規格を用いて撮影装置と相互通信することが可能な情報処理端末において、
端末側記憶媒体と、
認証情報及び所定の連絡先を前記端末側記憶媒体に記憶させる端末側記憶手段と、
前記撮影装置に記憶された認証情報と前記端末側記憶媒体に記憶された認証情報とを照合する照合手段と、
前記照合手段による照合結果が前記認証情報の不一致を示すものである場合、前記撮影装置に関する所定の情報、前記情報処理端末に関する所定の情報、前記撮影装置による撮影画像データ、のうちの少なくとも１つ、を収集して前記連絡先に送信する情報処理手段と、
を備える、
情報処理端末。
【請求項８】
近距離無線通信規格を用いて情報処理端末と相互通信することが可能な撮影装置において、
撮影装置側記憶媒体と、
所定の連絡先を前記撮影装置側記憶媒体に記憶させる撮影装置側記憶手段と、
特定の前記情報処理端末と通信できないことを検知すると、前記撮影装置に関する所定の情報と前記撮影装置による撮影画像データの少なくとも一方を前記連絡先に送信する手段と、
を備える、
撮影装置。
【請求項９】
近距離無線通信規格を用いて相互通信することが可能な撮影装置と情報処理端末とを備える情報送信システムで実行される情報送信方法において、
前記情報処理端末が、
認証情報及び所定の連絡先を端末側記憶媒体に記憶し、
前記撮影装置が、
認証情報を撮影装置側記憶媒体に記憶し、
前記情報処理端末が、
前記撮影装置側記憶媒体に記憶された認証情報と前記端末側記憶媒体に記憶された認証情報とを照合し、
前記照合の結果が前記認証情報の不一致を示すものである場合、前記撮影装置に関する所定の情報、前記情報処理端末に関する所定の情報、前記撮影装置による撮影画像データ、のうちの少なくとも１つ、を収集して前記連絡先に送信する、
情報送信方法。
【請求項１０】
近距離無線通信規格を用いて撮影装置と相互通信することが可能な情報処理端末で実行される情報送信方法において、
認証情報及び所定の連絡先を端末側記憶媒体に記憶させ、
前記撮影装置に記憶された認証情報と前記端末側記憶媒体に記憶された認証情報とを照合し、
前記照合の結果が前記認証情報の不一致を示すものである場合、前記撮影装置に関する所定の情報、前記情報処理端末に関する所定の情報、前記撮影装置による撮影画像データ、のうちの少なくとも１つ、を収集して前記連絡先に送信する、
情報送信方法。
【請求項１１】
近距離無線通信規格を用いて情報処理端末と相互通信することが可能な撮影装置で実行される情報送信方法において、
所定の連絡先を撮影装置側記憶媒体に記憶させ、
特定の前記情報処理端末と通信できないことを検知すると、前記撮影装置に関する所定の情報と前記撮影装置による撮影画像データの少なくとも一方を前記連絡先に送信する、
情報送信方法。
【発明の詳細な説明】
【技術分野】
【０００１】
本発明は、情報送信システム、情報処置端末、撮影装置及び情報送信方法に関する。
【背景技術】
【０００２】
デジタルカメラ等の撮影装置（例示的には、一眼レフカメラに代表される高級機種）は盗難にあう虞がある。このような盗難を防止したり抑止したりする技術が知られている。例えば特許文献１に、撮影装置の盗難を防止する盗難防止装置の具体的構成が記載されている。
【０００３】
特許文献１に記載の盗難防止装置は、支持体（例えば店内に設置したディスプレー用棚の一部分）に索条を取り付け、索条に連結された支持台に撮影装置を固定する構成となっている。撮影装置が支持台及び索条によってディスプレー用棚に固定されているため、来店した客は撮影装置を容易には盗むことができない。
【先行技術文献】
【特許文献】
【０００４】
【特許文献１】特開平１１−１３４５６５号公報
【発明の概要】
【発明が解決しようとする課題】
【０００５】
特許文献１に記載の盗難防止装置は、展示品の撮影装置の盗難を防止したり抑止したりするのに好適ではあるが、携帯性に乏しく、また、索条を取り付ける支持体が設置されている場所でしか使用することができない。そのため、この盗難防止装置は、旅先や日常的に撮影装置を携帯する一般ユーザ（例えば一般的な撮影装置の所有者）の撮影装置の盗難を防止したり抑止したりするのには不向きである。撮影装置の所有者によっては、撮影装置が盗難されることを恐れて、撮影装置から所有者が離れる状況での使用を前提とした機能（例えば遠隔操作や遠隔撮影）を利用しない、ということも考えられる。
【０００６】
本発明は上記の事情に鑑みてなされたものであり、その目的とするところは、一般ユーザ（例えば撮影装置の所有者）の撮影装置の盗難の抑止につながる機能を有する情報送信システム、情報処置端末及び撮影装置、並びに一般ユーザの撮影装置の盗難の抑止につながる処理をコンピュータに実行させる情報送信方法を提供することである。
【課題を解決するための手段】
【０００７】
本発明の一実施形態に係る情報送信システムは、近距離無線通信規格を用いて相互通信することが可能な撮影装置と情報処理端末とを備えるシステムである。撮影装置は、撮影装置側記憶媒体と、認証情報を撮影装置側記憶媒体に記憶させる撮影装置側記憶手段とを備える。情報処理端末は、端末側記憶媒体と、認証情報及び所定の連絡先を端末側記憶媒体に記憶させる端末側記憶手段と、撮影装置側記憶媒体に記憶された認証情報と端末側記憶媒体に記憶された認証情報とを照合する照合手段と、照合手段による照合結果が認証情報の不一致を示すものである場合、撮影装置に関する所定の情報、情報処理端末に関する所定の情報、撮影装置による撮影画像データ、のうちの少なくとも１つ、を収集して連絡先に送信する情報処理手段とを備える。
【発明の効果】
【０００８】
本発明の一実施形態によれば、一般ユーザ（例えば撮影装置の所有者）の撮影装置の盗難の抑止につながる機能を有する情報送信システム、情報処置端末及び撮影装置、並びに一般ユーザの撮影装置の盗難の抑止につながる処理をコンピュータに実行させる情報送信方法が提供される。
【図面の簡単な説明】
【０００９】
【図１】本発明の一実施形態に係る情報送信システムの構成を示すブロック図である。
【図２】図２（ａ）及び図２（ｂ）は、本発明の一実施形態に係る情報送信システムに備えられる情報処理端末のタッチパネルに表示される撮影装置用アプリケーションの設定画面を示す図である。
【図３】本発明の一実施形態に係る情報送信システムに備えられる撮影装置のＬＣＤに表示されるセキュリティ設定画面を示す図である。
【図４】本発明の一実施形態において、撮影装置用アプリケーションと撮影装置とが連携して実行する、盗難検知及び盗難通知の処理を示すシーケンス図である。
【図５】本発明の別の一実施形態において、撮影装置が実行する、盗難検知及び盗難通知の処理を示すフローチャートである。
【発明を実施するための形態】
【００１０】
以下、本発明の一実施形態に係る情報送信システムについて図面を参照しながら説明する。
【００１１】
図１は、本発明の一実施形態に係る情報送信システム１の構成を示すブロック図である。図１に示されるように、情報送信システム１は、撮影装置１０及び情報処理端末２０を備えている。
【００１２】
本実施形態において、撮影装置１０は一眼レフカメラであり、情報処理端末２０はスマートフォンである。別の実施形態では、撮影装置１０は、コンパクトデジタルカメラ、ミラーレス一眼カメラ、ビデオカメラ、カムコーダなど、別の形態の撮影装置であってもよい。情報処理端末２０は、ＰＨＳ（Personal Handy phone System）、フィーチャフォン、ノートＰＣ、タブレットＰＣ、携帯ゲーム機など、別の形態の情報処理端末であってもよい。
【００１３】
撮影装置１０は、システムコントローラ１００、操作部１０２、駆動回路１０４、撮影レンズ１０６、絞り１０８、シャッタ１１０、固体撮像素子１１２、信号処理回路１１４、画像処理エンジン１１６、バッファメモリ１１８、ＬＣＤ（Liquid Crystal Display）１２０、ＲＯＭ（Read Only Memory）１２２、フラッシュメモリ１２４、カード用インタフェース１２６、近距離無線通信インタフェース１２８及びＧＰＳ（Global Positioning System）レシーバ１３０を備えている。なお、撮影レンズ１０６は複数枚構成のズームレンズであるが、図１においては、便宜上一枚のレンズとして示す。
【００１４】
操作部１０２には、電源ボタンやレリーズボタン、撮影モードボタンなど、ユーザが撮影装置１０を操作するために必要な各種ボタンやダイヤルが含まれる。ユーザにより電源ボタンが操作されると、図示省略されたバッテリから撮影装置１０の各種回路に電源ラインを通じて電源供給が行われる。
【００１５】
システムコントローラ１００は、ＣＰＵ（Central Processing Unit）及びＤＳＰ（Digital Signal Processor）を含む。システムコントローラ１００は電源供給後、ＲＯＭ１２２にアクセスして制御プログラムを読み出してワークエリア（不図示）にロードし、ロードされた制御プログラムを実行することにより、撮影装置１０全体の制御を行う。
【００１６】
例えば、レリーズボタンが操作されると、システムコントローラ１００は、固体撮像素子１１２により撮像された画像に基づいて計算された測光値や、撮影装置１０に内蔵された露出計（不図示）で測定された測光値に基づき適正露出が得られるように、駆動回路１０４を介して絞り１０８及びシャッタ１１０を駆動制御する。
【００１７】
より詳細には、絞り１０８及びシャッタ１１０の駆動制御は、プログラムＡＥ（Automatic Exposure）、シャッタ優先ＡＥ、絞り優先ＡＥなど、撮影モードボタンにより指定されるＡＥ機能に基づいて行われる。
【００１８】
システムコントローラ１００はＡＥ制御と併せてＡＦ（Autofocus）制御を行う。ＡＦ制御には、アクティブ方式、位相差検出方式、コントラスト検出方式等が適用される。また、ＡＦモードには、中央一点の測距エリアを用いた中央一点測距モード、複数の測距エリアを用いた多点測距モード等がある。システムコントローラ１００は、ＡＦ結果に基づいて駆動回路１０４を介して撮影レンズ１０６を駆動制御し、撮影レンズ１０６の焦点を調整する。なお、この種のＡＥ及びＡＦの構成及び制御については周知であるため、ここでの詳細な説明は省略する。
【００１９】
被写体からの光束は、撮影レンズ１０６、絞り１０８、シャッタ１１０を通過して固体撮像素子１１２の受光面にて受光される。固体撮像素子１１２は、ベイヤ配列フィルタを搭載したＣＭＯＳ（Complementary Metal Oxide Semiconductor）イメージセンサであり、撮影レンズ１０６を介して受光面上の各画素で結像した光学像を光量に応じた電荷として蓄積する。固体撮像素子１１２は、蓄積された電荷をフローティングディフュージョンアンプにて電圧（以下「画像信号」と記す。）に変換する。固体撮像素子１１２より出力された画像信号は、信号処理回路１１４に入力される。固体撮像素子１１２は、ＣＣＤ（Charge Coupled Device）イメージセンサであってもよく、また、補色系フィルタを搭載したイメージセンサであってもよい。
【００２０】
信号処理回路１１４は、固体撮像素子１１２より入力される画像信号に対してクランプ、デモザイク等の所定の信号処理を施して、画像処理エンジン１１６に出力する。
【００２１】
画像処理エンジン１１６は、信号処理回路１１４より入力される画像信号に対してマトリクス演算、Ｙ／Ｃ分離、ホワイトバランス等の所定の信号処理を施して輝度信号Ｙ、色差信号Ｃｂ、Ｃｒを生成し、ＪＰＥＧ（Joint Photographic Experts Group）等の所定のフォーマットで圧縮する。撮影画像データの保存形式は、ＪＰＥＧ形式に限らず、最小限の画像処理（例えば黒レベルの補正等）しか施されないＲＡＷ形式であってもよい。バッファメモリ１１８は、画像処理エンジン１１６による処理の実行時、処理データの一時的な保存場所として用いられる。
【００２２】
画像処理エンジン１１６は、輝度信号Ｙ、色差信号Ｃｂ、Ｃｒを所定のビデオ信号に変換してＬＣＤ１２０に出力する。ＬＣＤ１２０は、画像処理エンジン１１６より入力されるビデオ信号を基に液晶を変調制御する。これにより、被写体の撮影画像がＬＣＤ１２０の表示画面に表示される。ユーザは、ＡＥ制御及びＡＦ制御に基づいて適正な露出及びピントで撮影されたリアルタイムのスルー画（ライブビュー）を、ＬＣＤ１２０の表示画面を通じて視認することができる。
【００２３】
カード用インタフェース１２６のカードスロットには、メモリカード（不図示）が着脱可能に挿し込まれる。画像処理エンジン１１６は、カード用インタフェース１２６を介してメモリカードと通信可能である。画像処理エンジン１１６は、生成された撮影画像データをメモリカード又はフラッシュメモリ１２４に保存する。
【００２４】
近距離無線通信インタフェース１２８は、Wi-FiやBluetooth（登録商標、ＢＬＥ（Bluetooth Low Energy）等の拡張仕様も含む。）、ＮＦＣ（Near Field Communication）等の近距離無線通信規格をサポートするインタフェースである。画像処理エンジン１１６によって生成された撮影画像データは、これらの近距離無線通信規格を用いて情報処理端末２０や他の外部装置に転送されてもよく、また、アクセスポイントを介して（すなわちWi-Fi経由で）ネットワーク上のサーバ（クラウドを含む。）にアップロードされてもよい。
【００２５】
ＧＰＳレシーバ１３０は、複数のＧＰＳ衛星から発信されている信号を受信して演算することによって、受信地点（すなわち撮影装置１０）の三次元の位置情報を取得する。ＧＰＳレシーバ１３０に搭載された不図示のメモリには、所定期間の位置情報が蓄積される。蓄積された所定期間の位置情報は、新たな位置情報が取得される毎に最新の内容に更新される。この所定期間は、現時点を終点とし、現時点から一定期間遡った時点を始点とする期間である。
【００２６】
図１に示されるように、情報処理端末２０は、ＣＰＵ２００、ＲＡＭ（Random Access Memory）等の主記憶装置２０２、フラッシュメモリ等の補助記憶装置２０４、キャリア通信インタフェース２０６、タッチパネル２０８、近距離無線通信インタフェース２１０及びＧＰＳレシーバ２１２を備えている。なお、図面を簡略化する便宜上、各ブロックの結線の図示を省略している。
【００２７】
ＣＰＵ２００は、情報処理端末２０の電源投入後、必要なハードウェアにアクセスする。具体的には、ＣＰＵ２００は、補助記憶装置２０４にアクセスしてＯＳ（Operating System）２０４ａを読み出して、主記憶装置２０２にロードして起動させる。以後、ＣＰＵ２００とＯＳ２０４ａとが協働することにより、情報処理端末２０による各種処理が実行される。例えば、補助記憶装置２０４には、撮影装置用アプリケーション２０４ｂをはじめとする複数種類のアプリケーションがインストールされている。各種アプリケーションは、ＯＳ２０４ａによるリソース及びプロセスの管理下で動作する。
【００２８】
情報処理端末２０は、キャリア通信インタフェース２０６を介して３Ｇ（3rd Generation）回線やＬＴＥ（Long Term Evolution）回線等のキャリア回線に接続し、ネットワーク上のサーバにアクセスすることができる。
【００２９】
ユーザは、タッチパネル２０８上に表示された画面に対してペンタッチやフィンガタッチによる入力や、フリック操作（画面上を指ではらう操作）による画面スクロール、ピンチ操作（二本の指の間を画面上で拡げる又は縮める操作）によるズームイン／ズームアウト等の各種操作を行うことができる。
【００３０】
近距離無線通信インタフェース２１０は、Wi-FiやBluetooth、ＮＦＣ等の近距離無線通信規格をサポートするインタフェースである。情報処理端末２０は、近距離無線通信インタフェース２１０により、撮影装置１０や他の外部装置と無線通信することができ、また、アクセスポイントを介してネットワーク上のサーバにアクセスすることもできる。
【００３１】
ＧＰＳレシーバ２１２は、複数のＧＰＳ衛星から発信されている信号を受信して演算することによって、受信地点（すなわち情報処理端末２０）の三次元の位置情報を取得する。ＧＰＳレシーバ２１２に搭載された不図示のメモリには、所定期間の位置情報が蓄積される。蓄積された所定期間の位置情報は、新たな位置情報が取得される毎に最新の内容に更新される。この所定期間は、現時点を終点とし、現時点から一定期間遡った時点を始点とする期間である。
【００３２】
撮影装置用アプリケーション２０４ｂは、撮影装置１０と連携することにより、撮影装置１０が盗難されたときにこれ（撮影装置１０が盗難されたこと）を撮影装置１０の所有者に通知する機能を備えている。撮影装置用アプリケーション２０４ｂには、情報処理端末２０を用いて撮影装置１０を遠隔操作したり遠隔撮影したり撮影装置１０による撮影画像を管理したりする等といった利便性の高い機能も備えられているが、本実施形態では、これらの機能についての具体的な説明は省略する。
【００３３】
図２（ａ）及び図２（ｂ）は、撮影装置用アプリケーション２０４ｂの設定画面を示す。図２（ａ）は、ユーザ情報の入力画面Ｓ１である。撮影装置用アプリケーション２０４ｂは、例えば撮影装置１０とのペアリング時に撮影装置１０の製品名（機種名）及びシリアル番号を取得し、取得された撮影装置１０の製品名及びシリアル番号を入力画面Ｓ１の上段に表示する。
【００３４】
撮影装置用アプリケーション２０４ｂは、入力画面Ｓ１の下段に、お客様情報のフォームを表示する。撮影装置１０の所有者は、図２（ａ）に示されるように、お客様情報のフォームの各フィールドに自身の情報を入力する。撮影装置１０の所有者によって入力画面Ｓ１の決定ボタンＢ１がタッチされると、撮影装置用アプリケーション２０４ｂは、お客様情報のフォームの各フィールドに入力された情報を例えば補助記憶装置２０４に保存する。
【００３５】
図２（ｂ）は、セキュリティ設定画面Ｓ２である。撮影装置用アプリケーション２０４ｂは、セキュリティ設定画面Ｓ２の上段に、「緊急連絡先」、「セキュリティＫＥＹ（認証情報の一例）」、「パスワード」の各フィールドを表示する。撮影装置用アプリケーション２０４ｂは、セキュリティ設定画面Ｓ２の下段に、「確認タイミング」、「送信情報」の各フィールドを表示する。
【００３６】
撮影装置１０の所有者は、「緊急連絡先」のフィールド（ｅ−ｍａｉｌ及びＳＭＳのラジオボタンを含む。）に、撮影装置１０の盗難検知時にこれ（撮影装置１０が盗難されたこと）を通知する連絡先を入力する。
【００３７】
撮影装置１０の所有者は、「セキュリティＫＥＹ」のフィールドに、撮影装置１０の盗難を検知するための任意の文字列を入力する。撮影装置１０の所有者は、セキュリティＫＥＹとして、例えば、好きなキーワードを入力してもよく、また、上記の緊急連絡先や情報処理端末２０の電話番号、メールアドレスを入力してもよい。
【００３８】
撮影装置１０の所有者は、「確認タイミング」のフィールドに、撮影装置１０が盗難されたか否かを確認するタイミング（以下、「盗難確認タイミング」と記す。）を入力する。撮影装置１０の所有者は、「接続開始時」のラジオボタンを選択することにより、撮影装置１０と情報処理端末２０（又は後述する、撮影装置１０の盗難者の情報処理端末２０Ｔ）との接続が開始されたタイミング（例えばWi-Fiのハンドシェイク直後やBluetoothのペアリング直後のタイミング）を盗難確認タイミングとして設定することができ、また、「常時」のラジオボタンを選択し且つ「常時確認時間隔」のフィールドに時間間隔を入力することにより、盗難確認タイミングの時間間隔を設定することができる。盗難確認タイミングとして「常時」が選択された場合、撮影装置１０と情報処理端末２０間の通信で消費される電力を抑えるため、撮影装置１０の盗難確認がＢＬＥ通信で行われてもよい。
【００３９】
「送信情報」のフィールドには、複数のチェックボックスが配置されている。撮影装置１０の所有者は、これらのチェックボックスをオン／オフすることにより、撮影装置１０の盗難検知時に緊急連絡先に送信される情報を設定することができる。チェックボックス（緊急連絡先に送信される情報の項目）として、例えば「スマホＧＰＳ」、「スマホＧＰＳログ」、「カメラＧＰＳ」、「カメラＧＰＳログ」、「画像ファイル」、「アプリ登録情報」、「スマートフォン個人情報」が挙げられる。
【００４０】
撮影装置１０の所有者によってセキュリティ設定画面Ｓ２の決定ボタンＢ２がタッチされると、撮影装置用アプリケーション２０４ｂは、各フィールド（「緊急連絡先」、「セキュリティＫＥＹ」、「パスワード」、「確認タイミング」、「送信情報」の各フィールド）に入力された情報を例えば補助記憶装置２０４に保存すると共に撮影装置１０に転送してフラッシュメモリ１２４に保存させる。
【００４１】
図３は、撮影装置１０のＬＣＤ１２０に表示されるセキュリティ設定画面Ｓ３を示す。セキュリティ設定画面Ｓ３には、情報処理端末２０から撮影装置１０に転送されてフラッシュメモリ１２４に保存された緊急連絡先、セキュリティＫＥＹ及びパスワードが表示される。
【００４２】
なお、セキュリティ設定画面Ｓ３をＬＣＤ１２０に表示させるためには、撮影装置１０の操作部１０２を操作して正しいパスワード（情報処理端末２０から撮影装置１０に転送されてフラッシュメモリ１２４に保存されたパスワード）を入力する必要がある。すなわち、セキュリティ設定画面Ｓ３は、パスワードで保護されており、正しいパスワードを知る者しか見ることができない。
【００４３】
次に、撮影装置１０が盗難され且つ撮影装置１０を盗難した盗難者が自身の情報処理端末（符合「２０Ｔ」を付す。）に撮影装置用アプリケーション（符合「２０４ｂＴ」を付す。）をインストールする場合を説明する。
【００４４】
撮影装置１０の盗難者は、情報処理端末２０Ｔに撮影装置用アプリケーション２０４ｂＴをインストールし、インストール時の撮影装置用アプリケーション２０４ｂＴのガイダンスに従ってユーザ情報の入力画面Ｓ１（図２（ａ）参照）及びセキュリティ設定画面Ｓ２（図２（ｂ）参照）の各フォームに情報を入力する。
【００４５】
入力画面Ｓ１に入力される撮影装置１０の盗難者のユーザ情報は、撮影装置１０の盗難者を特定するのに有用な情報である。ユーザ情報の入力を撮影装置１０の盗難者に促すため、少なくとも入力画面Ｓ１に対するユーザ情報の入力が完了しなければ撮影装置用アプリケーション２０４ｂＴを利用することができないようにしてもよい。なお、撮影装置１０の盗難者のユーザ情報は、盗難者による手入力が不要であってもよく、例えば、撮影装置用アプリケーション２０４ｂＴが撮影装置１０の盗難者のユーザ情報を情報処理端末２０Ｔから自動的に取得してユーザ情報の入力画面Ｓ１に自動入力するようにしてもよい。
【００４６】
撮影装置１０は、例えば撮影装置用アプリケーション２０４ｂＴとのペアリング時（すなわち、撮影装置１０の所有者の情報処理端末２０とは別の情報処理端末に接続されたことを検知した時）、フラッシュメモリ１２４に既に保存されている緊急連絡先、セキュリティＫＥＹ、パスワード、盗難確認タイミング及び送信情報（すなわち、撮影装置１０の所有者が設定した緊急連絡先、セキュリティＫＥＹ、パスワード、盗難確認タイミング及び緊急連絡先に送信される情報の項目）を情報処理端末２０Ｔに転送して情報処理端末２０Ｔの補助記憶装置（符号「２０４Ｔ」を付す。）に保存させる。これらの情報は、撮影装置１０の盗難者が撮影装置用アプリケーション２０４ｂＴで設定した緊急連絡先やセキュリティＫＥＹ等の情報とは区別して補助記憶装置２０４Ｔに保存され、且つ撮影装置用アプリケーション２０４ｂＴ上では画面表示されない。そのため、撮影装置１０の盗難者が、撮影装置１０の所有者が設定した緊急連絡先やセキュリティＫＥＹ等の情報を見る機会がなく、また、撮影装置１０の所有者がこのような情報を既に設定済みであることを知ることもない。撮影装置１０の所有者の緊急連絡先やセキュリティＫＥＹ等の存在が撮影装置１０の盗難者に知られないことは、盗難者の警戒心を下げることができ、盗難された撮影装置１０を取り戻す確率を上げることに寄与する。
【００４７】
なお、撮影装置１０のフラッシュメモリ１２４に既に保存されている緊急連絡先、セキュリティＫＥＹ、パスワード、盗難確認タイミング及び送信情報は、撮影装置用アプリケーション２０４ｂＴと撮影装置１０とのペアリング時でなく、互いのセキュリティＫＥＹの不一致が検出されたタイミング（後述）で、撮影装置１０から情報処理端末２０Ｔに転送されて補助記憶装置２０４Ｔに保存されてもよい。
【００４８】
撮影装置用アプリケーション２０４ｂＴと撮影装置１０とが連携して実行する、盗難検知及び盗難通知の処理について説明する。この処理のシーケンス図を図４に示す。
【００４９】
図４に示されるように、撮影装置用アプリケーション２０４ｂＴは、補助記憶装置２０４Ｔに保存された盗難確認タイミングに従い、撮影装置１０のフラッシュメモリ１２４に保存されたセキュリティＫＥＹをリクエストして取得し（ステップＳ１）、補助記憶装置２０４Ｔに保存されたセキュリティＫＥＹと照合する（ステップＳ２）。なお、ここでの盗難確認タイミングは、撮影装置１０の所有者が撮影装置用アプリケーション２０４ｂで設定したタイミングである。
【００５０】
撮影装置１０の所有者の情報処理端末２０の撮影装置用アプリケーション２０４ｂと撮影装置１０間であれば互いのセキュリティＫＥＹが一致するため（ステップＳ２：ＹＥＳ）、次の盗難確認タイミングまで図４に示される何れのステップも実行されない。すなわち、情報処理端末２０を保持する所有者が撮影装置１０を盗難されない限り（別の表現では、近距離無線通信圏内に撮影装置１０がある限り）、セキュリティＫＥＹの照合が成功するため、盗難の発生が通知されることはない。
【００５１】
これに対し、撮影装置１０の所有者が撮影装置用アプリケーション２０４ｂで設定したセキュリティＫＥＹと、撮影装置１０の盗難者が撮影装置用アプリケーション２０４ｂＴで設定したセキュリティＫＥＹとが一致することはまずない。そのため、撮影装置用アプリケーション２０４ｂＴは、互いのセキュリティＫＥＹが一致しないと判定する（ステップＳ２：ＮＯ）。
【００５２】
図４では、撮影装置用アプリケーション２０４ｂＴがホストになって互いのセキュリティＫＥＹを照合しているが、別の実施形態では、撮影装置１０がホストになって互いのセキュリティＫＥＹを照合してもよい。また、撮影装置用アプリケーション２０４ｂＴ、撮影装置１０がそれぞれ独立にセキュリティＫＥＹの照合を行ってもよい。
【００５３】
撮影装置用アプリケーション２０４ｂＴは、互いのセキュリティＫＥＹが一致しないと判定すると（ステップＳ２：ＮＯ）、「送信情報」の各フィールドでチェックされた項目の情報を撮影装置１０及び情報処理端末２０Ｔから収集する（ステップＳ３〜Ｓ４）。ここで収集される情報は、撮影装置１０の所有者が撮影装置用アプリケーション２０４ｂで設定した項目の情報である。
【００５４】
撮影装置用アプリケーション２０４ｂＴは、ステップ３〜Ｓ４で収集した情報を撮影装置１０に送信する（ステップＳ５）。
【００５５】
「送信情報」の各項目について説明する。「スマホＧＰＳ」は、情報処理端末２０ＴのＧＰＳレシーバ（符号「２１２Ｔ」を付す。）によって取得された情報処理端末２０Ｔの最新の位置情報である。「スマホＧＰＳログ」は、ＧＰＳレシーバ２１２Ｔのメモリに蓄積された所定期間の位置情報（言い換えると、当該期間における情報処理端末２０Ｔの位置履歴）である。「カメラＧＰＳ」は、撮影装置１０のＧＰＳレシーバ１３０によって取得された撮影装置１０の最新の位置情報である。「カメラＧＰＳログ」は、ＧＰＳレシーバ１３０のメモリに蓄積された所定期間の位置情報（言い換えると、当該期間における撮影装置１０の位置履歴）である。「画像ファイル」は、例えば上記所定期間に撮影装置１０で撮影された画像（例示的には盗難後に撮影された画像）のファイルである。「アプリ登録情報」は、撮影装置１０の盗難者が撮影装置用アプリケーション２０４ｂＴの入力画面Ｓ１で入力した、盗難者のユーザ情報である。「スマートフォン個人情報」は、情報処理端末２０Ｔの電話番号など、情報処理端末２０Ｔ自体（又はＳＩＭカード）に記憶された情報である。
【００５６】
「スマホＧＰＳ」、「スマホＧＰＳログ」、「アプリ登録情報」、「スマートフォン個人情報」は、情報処理端末２０Ｔに関する所定の情報の一例であり、「カメラＧＰＳ」、「カメラＧＰＳログ」、「画像ファイル」は、撮影装置１０に関する所定の情報の一例である。
【００５７】
情報処理端末２０ＴのＧＰＳ機能がオフされている場合、撮影装置用アプリケーション２０４ｂＴは、「スマホＧＰＳ」や「スマホＧＰＳログ」の情報を収集することができない。撮影装置用アプリケーション２０４ｂＴは、「スマホＧＰＳ」や「スマホＧＰＳログ」に代えて、情報処理端末２０Ｔと公衆無線ＬＡＮ（Local Area Network）との接続履歴や情報処理端末２０Ｔと基地局との接続履歴を情報処理端末２０Ｔの位置情報や位置履歴として収集してもよい。
【００５８】
なお、「送信情報」の項目として例えば撮影装置１０の起動時刻や起動回数等が含まれていてもよい。
【００５９】
図４では、撮影装置用アプリケーション２０４ｂＴがホストになって「送信情報」の各フィールドでチェックされた項目の情報を撮影装置１０及び情報処理端末２０Ｔから収集しているが、別の実施形態では、撮影装置１０がホストになってこれらの情報を撮影装置１０及び情報処理端末２０Ｔから収集してもよい。また、撮影装置用アプリケーション２０４ｂＴ、撮影装置１０がそれぞれ独立にこれらの情報を撮影装置１０及び情報処理端末２０Ｔから収集してもよい。
【００６０】
撮影装置用アプリケーション２０４ｂＴは、ステップ３〜Ｓ４で収集した情報を補助記憶装置２０４Ｔに保存された緊急連絡先に送信する（ステップＳ６）。なお、ここでの緊急連絡先は、撮影装置１０の所有者が撮影装置用アプリケーション２０４ｂで設定した緊急連絡先である。
【００６１】
撮影装置１０は、ステップＳ５で撮影装置用アプリケーション２０４ｂＴから送信された情報をフラッシュメモリ１２４に保存された緊急連絡先に送信する（ステップＳ７）。撮影装置１０による緊急連絡先への情報送信には、例えば公衆無線ＬＡＮが利用される。なお、利用可能な公衆無線ＬＡＮがセキュリティＫＥＹの不一致が検出された時に撮影装置１０の無線通信圏内にあるとは限らない。利用可能な公衆無線ＬＡＮが撮影装置１０の無線通信圏内に無い場合は、セキュリティＫＥＹの不一致の検出時に緊急連絡先への情報送信がすぐさま行われない。しかし、撮影装置１０は、緊急連絡先への情報送信を定期的にトライする。従って、緊急連絡先への情報送信がいずれ行われる可能性が高い。
【００６２】
このように、撮影装置用アプリケーション２０４ｂＴ及び撮影装置１０は、撮影装置１０の所有者が設定した緊急連絡先（例えば撮影装置１０の所有者のＰＣ用メーラに登録されたメールアドレスや情報処理端末２０のメールアドレス、所有者のＳＭＳ（Short Message Service）等）に「送信情報」の各フィールドでチェックされた項目の情報を送信する。なお、撮影装置用アプリケーション２０４ｂＴと撮影装置１０の一方だけがこれらの情報を緊急連絡先に送信してもよい。
【００６３】
ステップＳ７の実行後、図４の処理はステップＳ１に戻る。そのため、「送信情報」の各フィールドでチェックされた項目の情報は、撮影装置用アプリケーション２０４ｂＴや撮影装置１０から緊急連絡先に定期的に送信される。
【００６４】
撮影装置１０の所有者は、通知（撮影装置用アプリケーション２０４ｂＴや撮影装置１０からの送信情報）を受けると、受けた情報（複数種類の情報（撮影装置１０や情報処理端末２０Ｔの位置情報、盗難後に撮影装置１０で撮影されたであろう画像、撮影装置１０の盗難者のユーザ情報、情報処理端末２０Ｔの情報等）のうち少なくとも１種類の情報）を手掛かりに盗難者や撮影装置１０の所在を掴み、盗難された撮影装置１０を取り戻すことができる。
【００６５】
このような盗難検知機能及び盗難通知機能が撮影装置１０に備えていることを広告等で周知させておくことにより、撮影装置１０の盗難の抑止につながる。
【００６６】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【００６７】
上記の実施形態では、セキュリティＫＥＹの不一致が検出されると、緊急連絡先への情報送信が行われているが、別の実施形態では、撮影装置１０の所有者の情報処理端末２０の撮影装置用アプリケーション２０４ｂと撮影装置１０間のＢＬＥ通信の切断検知時に緊急連絡先への情報送信が行われてもよい。
【００６８】
図５に、別の実施形態において撮影装置１０が実行する、盗難検知及び盗難通知の処理のフローチャートを示す。
【００６９】
別の実施形態では、撮影装置用アプリケーション２０４ｂと撮影装置１０とがＢＬＥ通信で常時接続されている。撮影装置１０は、撮影装置用アプリケーション２０４ｂとのＢＬＥ通信が切断されたか否かを定期的にチェックする（ステップＳ１１）。撮影装置１０は、撮影装置用アプリケーション２０４ｂとのＢＬＥ通信の切断を検知すると（ステップＳ１１：ＹＥＳ）、「送信情報」の各フィールドでチェックされた項目の情報（複数種類の情報（例えば撮影装置１０の最新の位置情報、位置履歴、盗難後に撮影装置１０で撮影されたであろう画像等）のうち少なくとも１種類の情報）を収集し（ステップＳ１２）、フラッシュメモリ１２４に保存された緊急連絡先に送信する（ステップＳ１３）。上記の実施形態と同じく、撮影装置１０による緊急連絡先への情報送信には、例えば公衆無線ＬＡＮが利用される。撮影装置１０のＢＬＥ通信機能がオンされているかぎり、ステップＳ１１〜Ｓ１３の処理は繰り返し実行される。
【００７０】
別の実施形態では、撮影装置１０の盗難者が撮影装置用アプリケーション２０４ｂＴを情報処理端末２０Ｔにインストールしない場合にも、緊急連絡先への情報送信が行われる。なお、別の実施形態では、例えば撮影装置１０の所有者が撮影装置１０を友人に貸与した場合などにも、撮影装置用アプリケーション２０４ｂと撮影装置１０間のＢＬＥ通信が切断されて緊急連絡先への情報送信が行われることがあり得る。しかし、撮影装置１０の所有者は撮影装置１０を友人に貸与したこと（撮影装置１０が盗難されたわけではないこと）を把握しているため、緊急連絡先への情報送信が行われても実質的に問題は生じない。
【符号の説明】
【００７１】
１  情報送信システム
１０  撮影装置
２０  情報処理端末
１００  システムコントローラ
１０２  操作部
１０４  駆動回路
１０６  撮影レンズ
１０８  絞り
１１０  シャッタ
１１２  固体撮像素子
１１４  信号処理回路
１１６  画像処理エンジン
１１８  バッファメモリ
１２０  ＬＣＤ
１２２  ＲＯＭ
１２４  フラッシュメモリ
１２６  カード用インタフェース
１２８  近距離無線通信インタフェース
１３０  ＧＰＳレシーバ
２００  ＣＰＵ
２０２  主記憶装置
２０４  補助記憶装置
２０４ａ  ＯＳ
２０４ｂ  撮影装置用アプリケーション
２０６  キャリア通信インタフェース
２０８  タッチパネル
２１０  近距離無線通信インタフェース
２１２  ＧＰＳレシーバ
【図１】
2020086888.tif 000003
【図２】
2020086888.tif 000004
【図３】
2020086888.tif 000005
【図４】
2020086888.tif 000006
【図５】
2020086888.tif 000007